(57)【要約】【課題】解析集中センターと端末機とに機能を分散させ、各々の仕事を専門化することにより、利用者の所望する正確且つ高速な録画ファイルの検索と再生を低コストで実現する録画再生方法を提供すること。【解決手段】解析集中センターでは、番組コンテンツをテキストデータにし、チャンネル名、タイムスタンプを対にしたデータを作成して端末機に送信する。端末機では、録画の際、チャンネル名、タイムスタンプを映像、音声と共に記憶する。記憶した映像、音声と解析集中センターから受信したデータとの間でチャンネル名、タイムスタンプをマッチングすることで、端末機に録画した映像、音声から利用者が必要とする部分を検索し再生することができるので、インターネット又はＬＡＮを通じて送受信するのは、映像、音声ではなくごく小さな容量のテキストデータで済む。【選択図】図１
2005033750.tif 000002
【特許請求の範囲】
【請求項１】
解析集中センターでは録画したテレビ放送の番組又は制作したコンテンツのタイトルデータ及び内容テキストデータにチャンネル名及びタイムスタンプをカップリングしてカップリングテキストデータを作成し、パソコン等のコンピュータ又はハードディスクレコーダ、ＤＶＤレコーダ等の録画装置（以下、「端末機」と言う）では、解析集中センターで作成するのと同じ番組コンテンツを対象にチャンネル名とタイムスタンプをカップリング（一対にし同期がとれる形式にすること）した録画ファイルを作成する方法。
【請求項２】
定期的に又は端末機の要求で、解析集中センターで作成したカップリングテキストデータをインターネット又はＬＡＮを通じて端末機に送信し、端末機で作成した録画ファイルとの間で互いのチャンネル名及びタイムスタンプを用いてマッチングし、録画ファイルから利用者が所望する内容を再生する際の再生開始点及び再生終了点を割り出して再生する方法。
【発明の詳細な説明】
【技術分野】
【０００１】本発明は、テキストデータから所望のシーン（映像及び又は音声）を検索し再生する録画再生方法に関する。
【背景技術】
【０００２】近年、テレビジョン放送の他チャンネル化やインターネットに代表されるコンピュータネットワークの急速な普及に伴い膨大な映像が家庭を含めた社会に流通している。一方、記録メディア容量の増大に伴い、家庭において大量の映像信号の蓄積が可能になっている。そこで、このような大量の映像信号の中からユーザーが希望する番組や、その中の特定の映像シーンを簡単に且つ高い精度で取り出すための技術が必要になる。【０００３】これまでは、画像認識又は音声認識を活用したキーワード検索により端末機そのもので利用者所望の録画ファイルを検索し再生する録画再生方法が考えられてきた。
【発明の開示】
【発明が解決しようとする課題】
【０００４】しかしながら、従来の方式だと一台一台の端末機が認識するべきインデックスを作成したり、単語、キーワードや未知のキーワードを処理をせざるを得なかったため、当然その速度と精度が充分ではなく端末機の単価も高くなり、普及が難しかった。【０００５】本発明は、以上のような実情に鑑みてなされたものであり、端末機に録画した映像及び又は音声の検索と再生において、解析集中センターで集中的に生成した番組タイトルテキストデータ及び番組内容テキストデータにチャンネル名とタイムスタンプをカップリングしたカップリングテキストデータを作成し、端末機の録画にチャンネル名及びタイムスタンプをカップリングした録画ファイルとマッチングすることにより、利用者の所望する高精度な録画ファイルの検索と再生を低コストで実現する録画再生方法を提供することを目的とする。
【課題を解決するための手段】
【０００６】本発明では、端末機で解析集中センターで作成するのと同じ番組コンテンツにチャンネル名及びタイムスタンプをカップリングして録画ファイルを作成し、解析集中センターではチャンネル名及びタイムスタンプを番組タイトルデータ及び番組内容をテキストデータとカップリングしたカップリングテキストデータを作成し、インターネット又はＬＡＮを通じて端末機に送信する。端末機が受信したカップリングテキストデータに基づき利用者が見たい番組をテキストで表示画面から選択すると、選択されたカップリングテキストデータのチャンネル名及びタイムスタンプと録画ファイルのチャンネル名及びタイムスタンプとをマッチングして、再生開始点及び再生終了点が割り出され、端末機の録画ファイルから再生する。【０００７】このように一台の装置で全ての処理をするのではなく、解析集中センターでカップリングテキストデータを作成し、端末機では録画ファイルを作成することにより、処理の負荷を分散し且つ仕事を専門化して、利用者が所望する内容の録画の再生を正確且つ高速に実行できる。【０００８】本発明の方式では、既設のインターネット又はＬＡＮを通じて広い社会に流通する多数の端末機で同一の機能を正確且つ高速に実行することができる。【０００９】しかも、カップリングテキストデータ又は番組タイトルデータ又は番組内容テキストデータがインターネット又はＬＡＮを通じて普及することにより、遠隔地にある端末機とも動画及び音声も含めた情報共有が行なえ、簡単かつ緊密にコミュニケーションがとれる。【００１０】また、本発明の方式では、端末機はタイムスタンプ管理機能、録画及び再生機能、表示機能、インターネット又はＬＡＮ接続機能だけを具備していればよく、安価な端末機の使用が可能である。【００１１】しかも、端末機の台数が増えるほど解析集中センターの設備コストの端末機一台当りの負担は小さくなる。
【発明の実施するための最良の形態】
【００１２】本発明の利用者が可視的にテキスト内容を選択することによる録画再生の方法は、解析集中センターにおいて、番組コンテンツ８から音声認識又は画像認識又はテキスト入力又はそれらを組み合わせたもの９により精度の高い番組タイトルデータ１０、番組内容テキストデータ１１にチャンネル名とタイムスタンプ１２をカップリングしたカップリングテキストデータ１３を作成する。
【００１３】解析集中センターでは、定期的に又は端末機からの要求があった際に、インターネット又はＬＡＮを通じて、端末機にカップリングテキストデータ１３を送信する。
【００１４】端末機では、定期的に又は必要がある時に、インターネット又はＬＡＮを通じて、カップリングテキストデータ１３を受信する。
【００１５】端末機はタイムスタンプの精度を高め時間誤差を秒単位以下に抑えられる高精度のタイムサーバに接続して、精度を維持するために定期的に誤差を調整しており、解析集中センターで作成するのと同じ番組コンテンツを対象にチャンネル名とタイムスタンプをカップリングした録画ファイル１を作成する。
【００１６】利用者が解析集中センターから端末機に送られたカップリングテキストデータ１３を表示画面で確認し、検索又は所望するデータの絞り込み２をし、更に番組のタイトルを表記した番組タイトルデータ表示３及び又は番組の内容をテキスト化し表示した番組内容テキストデータ表示４を選択すると、それにチャンネル名とタイムスタンプの表示５をカップリングした選択されたカップリングテキストデータ６を選択する。
【００１７】選択されたカップリングテキストデータ６のチャンネル名及びタイムスタンプと、端末機に既に録画されている録画ファイル１のチャンネル名及びタイムスタンプとの間で、再生すべき部分のマッチング７を行ない、マッチングした箇所を再生開始点及再生終了点として録画ファイル１の中から再生する。
【図面の簡単な説明】
【００１８】
【図１】本発明の実施形態の利用者が可視的にテキスト内容を選択することによる録画再生の方法の概念を説明する説明図である。
【符号の説明】
【００１９】１解析集中センターで作成するのと同じ番組コンテンツを対象にチャンネル名とタイムスタンプをカップリングした録画ファイル。
２利用者が見たい番組タイトル又は番組内容を検索したり、絞り込みをすること。
３番組タイトルを表記した番組タイトルデータの表示。
４番組内容をテキスト化した番組内容テキストデータの表示。
５チャンネル名とタイムスタンプの表示。
６カップリングテキストデータ１３に対して検索又は所望するデータの絞り込み２を行ない、番組タイトルデータ表示３及び又は番組内容テキストデータ表示４を経て利用者が選択したもの。
７録画ファイル１と選択されたカップリングテキストデータ６との間で互いのチャンネル名とタイムスタンプをマッチングすること。
８録画したテレビ放送の番組又は制作したコンテンツ。
９音声認識又は画像認識又はテキスト入力又はそれらを組み合わせたもの。
１０番組タイトル名のテキストデータ。
１１番組の内容をテキスト化した番組内容テキストデータ。
１２チャンネル名とタイムスタンプ。
１３カップリングテキストデータ。
【図１】
2005033750.tif 000003